(57)【要約】  本発明は、衝撃削岩のために意図されたドリルビットに関する。ドリルビット１０は、ロッド（１１）の方へ洗浄媒質を案内することによって、衝撃削岩時のキャビテーションの発生を減少するために形成されている。ドリルビットは、ドリルビット（１０）に一体化されたスカートを備えている。ドリルビット（１０）は、洗浄媒質を流すための少なくとも一つのチャンネルを備えている。ドリルビット（１０）は、最大の第１の外径（Ｄ０）を規定する突起（３１）が設けられた前面（２９）と、衝撃削岩用のロープねじ又は台形ねじなどの雌ねじ溝が設けられた凹部が存在する第１の端面（２６）とを有する。凹部は所定の深さ（ＬＯ）である。スカート（１３）の外側表面（２８）は、円錐状部分（１５）を備える。円錐状部分（１５）は、凹部の深さ（ＬＯ）の８分の１よりも大きく、凹部の深さ（ＬＯ）よりも小さい軸方向の延長部を有する。本発明は、また、衝撃削岩のために意図されたねじ接合に関する。
2008510090.tif 000002
【特許請求の範囲】
【請求項１】
スカート（１３）が一体化されている衝撃削岩用のドリルビットであって、水などの洗浄媒質の輸送のための少なくとも一つのチャンネルを備えると共に、最大の第１の外径（Ｄ０）を規定する突起（３１）が設けられた前面（２９）と、衝撃削岩用のロープねじ又は台形ねじなどの雌ねじが設けられた凹部が存在する第１の端面（２６）とを有し、前記凹部が所定の深さ（ＬＯ）であるドリルビットにおいて、
前記スカート（１３）の外側表面（２８）が円錐状部分（１５）を備え、該円錐状部分（１５）が、前記凹部の深さ（ＬＯ）の８分の１よりも大きく、前記凹部の深さ（ＬＯ）よりも小さい軸方向の延長部を有することを特徴とする、ドリルビット。
【請求項２】
円筒状外側表面（１２）が前記ドリルビット（１０）の内側当接面（２５）を囲み、前記円筒状外側表面（１２）が、該内側当接面（２５）から後方へ延長する軸方向の延長部を有し、該延長部の長さが最大で前記凹部の深さ（ＬＯ）の７／８であることを特徴とする、請求項１に記載のドリルビット。
【請求項３】
前記円錐状部分（１５）が、センターライン（ＣＬ）に対して一定の角度（α）を成し、該角度（α）が０゜よりも大きく最大で１５゜であることを特徴とする、請求項１又は２に記載のドリルビット。
【請求項４】
前記ドリルビット（１０）の寸法が次の式：
Ｄ３2 ＜ Ｄ２2 ＜ (１/１．６)・Ｄ３2 ＋ (０．６/１．６)・Ｄ０2
に従って選択され、
ただし、Ｄ２は前記端面（２６）からのある軸方向距離（Ｌ２）における前記スカート（１３）の直径であり、Ｄ３は前記凹部の最小直径であり、Ｄ０は前記ドリルビットの最大直径であることを特徴とする、請求項１〜３のいずれか１項に記載のドリルビット。
【請求項５】
前記ドリルビットの寸法が次の条件：
Ｄ３2 ＜ Ｄ２2 ＜ (１/１．６)・Ｄ３2 ＋ (０．６/１．６)・Ｄ０2
を満たすことを特徴とする、請求項４に記載のドリルビット。
【請求項６】
前記円錐状部分（１５）の想像上の頂点が、前記端面（２６）から前記凹部の深さ（ＬＯ）の４分の１よりも大きな軸方向距離に設けられていることを特徴とする、請求項１〜５のいずれか１項に記載のドリルビット。
【請求項７】
第１のドリルロッドと、ドリルビット（１０）と一体化されたスカート（１３）の間に位置する衝撃削岩用のねじ接合であって、前記ドリルビット（１０）は、水などの洗浄媒質の輸送のための少なくとも一つのチャンネルを備えるとともに、最大の第１の外径（Ｄ０）を規定する突起が設けられた前面（２９）と、衝撃削岩用のロープねじ又は台形ねじなどの雌ねじ（２４）が設けられた凹部が存在する第１の端面（２６）とを有し、該凹部が所定の深さ（Ｌ０）であるねじ接合において、
前記スカート（１３）の外側表面（２８）が円錐状部分（１５）を備え、該円錐状部分（１５）が、前記凹部の深さ（ＬＯ）の８分の１よりも大きく、前記凹部の深さ（ＬＯ）よりも小さい軸方向の延長部を有することを特徴とする、ねじ接合。
【請求項８】
円筒状外側表面（１２）が前記ドリルビット（１０）の内側当接面（２５）を囲み、前記円筒状外側表面（１２）が、該内側当接面（２５）から後方へ延長する軸方向の延長部を有し、該延長部の長さが最大で前記凹部の深さ（ＬＯ）の７／８であることを特徴とする、請求項７に記載のねじ接合。
【請求項９】
前記円錐状部分（１５）が、前記ドリルビットのセンターライン（ＣＬ）に対して一定の角度（α）を成し、該角度（α）が０゜よりも大きく最大で１５゜であることを特徴とする、請求項７又は９に記載のねじ接合。
【請求項１０】
前記ねじ接合の寸法が次の式：
１ ＜ Ａ３／Ａ２ ＜ １．６
に従って選択され、
ただし、Ａ２は、前記端面（２６）から前記軸方向距離（Ｌ２）における前記スカート（１３）の直径Ｄ２と前記ドリルビットの最大直径（Ｄ０）との間の半径方向断面における仮想面積であり、Ａ３は前記凹部の最小直径（Ｄ３）と前記ドリルビットの最大直径（Ｄ０）との間の半径方向断面における仮想面積であることを特徴とする、請求項７〜９のいずれか１項に記載のねじ接合。
【発明の詳細な説明】
【技術分野】
【０００１】
本発明は、独立クレーム１の前文にあるような衝撃削岩のためのロックドリルビットに関する。本発明は、また、衝撃削岩のためのねじ接合に関する。
【背景技術】
【０００２】
連結ドリルにおけるねじ接合は、連結ドリルがトップハンマーからの打撃エネルギーを連結ドリル自由端における超硬合金のドリルビットまで伝達する衝撃トップハンマー削岩時において大きな歪みにさらされる。通常、個々のドリルロッドは一端に雌ねじを有し、他のドリルロッドの対向端の雄ねじを受け入れるようになっている。通常、場合によって潤滑を高めるための添加物を含む水が、ロックドリルに関連する洗浄媒質として穴から切り屑を除去するために、またビットを冷却するために用いられる。ドリル鋼、すなわち、ビット、ロッド、チューブ、スリーブ及びシャンク・アダプターの材料である鋼は、削岩の中に摩耗と腐食の作用にさらされる。これは、水が洗浄媒質として用いられ、環境が一般に湿潤である地中ボーリングに特にあてはまる。摩耗と腐食の作用は直径が比較的小さな部分、すなわち、ねじ溝末端又はねじクリアランス、において特に深刻になる。
【０００３】
ＷＯ−Ａ１−０３０４２４９３は、衝撃削岩におけるキャビテーションの作用に対処するものである。これはドリルロッドの細い部分をドリルビットのスカートで被うことによってなされた。それにより、キャビテーションは、上記細い部分に到達せず、接合部の大きな寸法の方へ導かれる。この従来技術は製品の性能を向上させたが、例えば１０，０００ｍも掘られたロッドは、スカートのすぐ下のロッド表面が損傷を受けることがある。損傷はきわめて局部的であり、実質的にロッドの全周をめぐるカットという形態をとる。すると、ロッドが烈しく曲げられたときにこの損傷はクラックの発生点として作用する。
【発明の開示】
【課題を解決するための手段】
【０００４】
本発明は上述のような問題を軽減しようとするものであり、衝撃削岩における、近代的採鉱の効率を向上させる改良されたねじ接合を提供することを目的とする。
【０００５】
本発明の別の目的は、衝撃削岩におけるキャビテーションの発生を減らすロックドリルビットを提供することである。
【０００６】
本発明の別の目的は、外部洗浄媒質によるブラスト作用と腐食を減らすロックドリルビットを提供することである。
【０００７】
本発明のさらに別の目的は、細い寸法のロックドリルロッドの寿命を延ばすことができるロックドリルビットを提供することである。
本発明によって、上記の目的は、独立クレームの特徴記載部分に開示されるような特徴によって達成される。本発明によるロックドリルビットとねじ接合の有利な実施形態は従属クレームによって規定される。
【発明を実施するための最良の形態】
【０００８】
本発明は、衝撃削岩のためのロックドリルビット１０に関する。図１には、第１のドリルロッド１１がロックドリルビット１０に一体化されたスカート１３と結合された状態で示されている。スカート１３は、円錐部分１５を含み、少なくとも部分的に円錐状の、外側表面２８を有する。ロックドリルビット１０は、図１には４つしか示されていないが、多数の正面突起３０と外周突起３１とを有する正面２９を含む。外周突起３１は、一般的には掘られる穴の直径を規定する。
【０００９】
ドリルロッド１１及びそのねじ接合は、水などの洗浄媒質を輸送するための少なくとも一つのチャンネル１４を含む。上記チャンネル１４はロックドリルビット１０における少なくとも一つのチャンネルに結合する。ドリルロッド１１は、円形の半径方向の切断面を有し、第１の外側表面１６を備える。第１の外側表面１６は、軸方向に実質的に一定な第１の外径DＤ３を有する。ドリルロッド１１は、衝撃削岩のためのロープねじ又は台形ねじなどの雄ねじを備えた第１の端部１７，又はスピゴット、を有する。雄ねじは、凹面のねじ入口又はねじ始端と凹面のねじ出口又はねじ終端を含む。第１の端部１７は第１の端面２１を含む。第１のドリルロッド１１は第２の外側表面２２を含み、好ましくはその直径は直径Ｄ３よりも大きい。ロックドリルビット１０のスカート１３は雌ねじ２４と内側当接面２５を有する凹部を含む。凹部２３はスカートの第２の端面２６に結合する。凹部の最小直径は実質的に直径Ｄ３に対応する。第２の端面２６は実質的にリング状である。第１の端面２１が内側当接面２５に当接するまでスピゴット１７がねじ込まれたとき、ねじ接合が行われた状態になる。
【００１０】
上述したように、ロッド表面に、スカートのすぐ下に損傷が発生することがある（図１の位置１６参照）。損傷はきわめて局部的であり、基本的に全周のまわりの“切り欠き（notch）”という形をとる。その場合、損傷は、ロッドが烈しく曲げられたときにクラック発生点として作用する。本発明が防ごうと意図していることは、洗浄水が従来のロックドリルビットの端を通過するときに生ずる乱流による侵食又はキャビテーション腐食である。本発明によるロックドリルビット１０は、少なくとも部分的に円錐状であるスカート１３を備えている。適切に設計されたスカートでは、洗浄水はスカートの形に連続的に従って、キャビテーションが実質的に回避されるか、又は大幅に減少する。この点に関連して正しいデザインは、スカートに沿ってゆっくりとした面積変化と、スカートの端２６におけるあまり急激でない面積変化を含むようなものである。
【００１１】
ロックドリルビット１０の寸法は、特に図２を参照した次の式によって選ばれる：
１ ＜ Ａ３／Ａ２ ＜ １．６
ここで、Ａ２は、端面２６から軸方向距離Ｌ２における直径Ｄ２とロックドリルビットの最大直径Ｄ０の間の半径方向断面における仮想面積、すなわち、Ａ２＝ π／４・(Ｄ０2−Ｄ２2)であり、Ａ３は、凹部の最小直径Ｄ３とロックドリルビットの最大直径Ｄ０の間の半径方向断面における想像上の面積、すなわち、Ａ３＝π／４・(Ｄ０2−Ｄ３2)である。比Ａ３／Ａ２は、好ましくは１．３０から１．６０までの間にある。軸方向距離Ｌ２は、端面２６から角度β、例えば４５゜の線によって定められる点まで、スカート１３の第２の端面２６と内径Ｄ３の交点から、図３に示されているように、センターラインＣＬと平行に測られる。円錐状の部分１５の長さＬ１は、凹部の深さＬ０の８分の１よりは大きいが凹部の深さＬ０よりは小さい。円錐状の部分１５の想像上の頂点は、端面２６から凹部の深さＬ０の４分の１より大きな距離に設けられる。ロックドリルビットの最大直径Ｄ０は３０から５０ｍｍの範囲内にある。この大きさのロックドリルビット１０が比較的細いドリルロッドに結合され、このドリルロッドが傷つけられた周囲の切り欠きのために折れる可能性がある。ロックドリルビットの寸法はまた次の条件を満たす：
Ｄ０2 ＜ Ｄ２2 ＜ (１／１．６)Ｄ３2 ＋ (０．６／１．６)Ｄ０2
端面２６で、洗浄水が穴とスカートの間で通過できる面積は、最大直径Ｄ０のところに比べて６０％まで増加している。
【００１２】
スカート１３の外側表面２８は、図示の実施形態では、円筒状の外側表面１２と円錐状の部分１５から成る。円筒状の外側表面の配置により、ロックドリルビットの壁厚は当接面２１と２５に近く維持され、抵抗の大きなロックドリルビットが得られる。円錐状部分１５は、ロックドリルビットのセンターラインＣＬに対して角度αを成す。角度αは最大で１５゜である、すなわち、０ ＜ α ≦ １５゜であり、好ましくは２゜から５゜までの間である。角度αに関する条件は次の通りである：
ｔａｎ α ＝ (Ｄ１ − Ｄ２)／２／(Ｌ１ − Ｌ２)、
ここでｔａｎ ０゜＝０，ｔａｎ １５゜≒０．２７
０ ＜ (１／２)・(Ｄ１ − Ｄ２)／(Ｌ１ − Ｌ２)≦０．２７
ここで、Ｌ１は円錐状部分１５の長さ又は凹部の深さＬ０の半分であり、Ｌ２＝ｈ＝(Ｄ２−Ｄ３)／２であり、端面２６における斜面は考慮に入れない。端面２６からの軸方向距離Ｌ２は凹部の深さＬ０の８分の１より大きい。
【００１３】
Ｄ３は、ロックドリルビットのねじ溝トップによって限定される内径に対応する。Ｌ２は、図３に示されているように、スカートの端面２６と内径Ｄ３との交点から４５゜の線から決定できる。円錐状の部分１５の想像上の延長線Ｘは、端面からの軸方向距離が凹部の深さＬ０の８分の１よりも大きなところでドリルロッドの第１の外側表面１６と交わる。円筒状の外側表面１２は、内側の当接面２５の面から後方への延長が最大で凹部の深さＬ０の８分の７になる。
【００１４】
選ばれた寸法は、パーツ１１と１０の間での幾何形状の移行が比較的小さく、キャビテーションの程度が減少し、切り屑及び侵食性の水による延長接合部への影響が軽減される。洗浄媒質は空気と水の混合物に代えることもできる。
【００１５】
したがって、本発明は、衝撃削岩だけのための、好ましくはトップハンマー削岩のためのロックドリルビットに関する。ロックドリルビット１０は、洗浄媒質をロッド１１の方向に導くことによって衝撃削岩におけるキャビテーションの発生を減らすように形成される。
【図面の簡単な説明】
【００１６】
【図１】本発明によるねじ接合を示す縦断面図である。
【図２】図１の線II-IIに沿った断面図である。
【図３】図１のねじ接合の拡大部分図である。
【図１】
2008510090.tif 000003
【図２】
2008510090.tif 000004
【図３】
2008510090.tif 000005
【国際調査報告】
2008510090.tif 000006
2008510090.tif 000007